(57)【要約】本発明は、舌側歯列矯正用個人オーダーメイド型ブラケット及びそのブラケット製造方法に関するものであって、より詳しくは舌側歯列矯正のために使用されるブラケットベースをキャスティング（ｃａｓｔｉｎｇ）して患者の個々の歯牙に合うブラケットを製造することで、歯列矯正の際、ブラケットを正確な位置に取り付けることができながら歯牙から離脱されないようにして矯正効率を高めた舌側歯列矯正用個人オーダーメイド型ブラケット及びそのブラケット製造方法に関するものであって、患者から採得した不正咬合模型で個々の歯牙を切って理想的な位置に再配置し、セット−アップモデルを製作して前記のセット−アップモデルを複製した後、前記複製されたセット−アップモデルにピン作業をした後、ブラケットのベースをレジンで拡張して鋳造を準備し、鋳造の準備が完了した鋳造用リングに埋没材を注入して埋没して、レジンを焼還して溶融した素材を鋳造する製造方法とその製造方法で製作されるブラケットが提示される。【選択図】図１
2016522066.tif 000002
【特許請求の範囲】
【請求項１】
舌側矯正治療に使用されるブラケットの製造において、
患者から採得した不正咬合模型で個々の歯牙を切って理想的な位置に再配列したセット−アップモデルを製作する段階と、
前記セット−アップモデルを複製する段階と、
複製されたセット−アップモデル像にピン作業をしてブラケットのベースを個々の歯牙の歯面に合わせてレジンで拡張する段階と、
前記レジンで拡張されたベースにブラケットを位置させる段階と、
前記レジンで拡張されたベースに注入路を形成して鋳造を準備する段階と、
鋳造の準備が完了した後埋没材を注入して埋没する段階と、
前記の埋没材が埋没された鋳造用リングでレジンを焼還して溶融した素材を鋳造する段階と、を含む、
舌側歯列矯正用個人オーダーメイド型ブラケット製造方法。
【請求項２】
舌側矯正治療に使用されるブラケットの製造において、
患者から採得した不正咬合模型で個々の歯牙を切って理想的な位置に再配列したセット−アップモデルを製作する段階と、
前記セット−アップモデルを複製する段階と、
前記複製されたセット−アップモデル像にピン作業をする段階と、
前記複製されたセット−アップモデルの歯面にブラケットを位置させる段階と、
前記ブラケットのベースを個々の歯牙の歯面に合わせてレジンで拡張する段階と、
前記レジンで拡張されたベースに注入路を形成して鋳造を準備する段階と、
鋳造の準備が完了した後埋没材を注入して埋没する段階と、
前記の埋没材が埋没された鋳造用リングでレジンを焼還して溶融した素材を鋳造する段階と、を含む、
舌側歯列矯正用個人オーダーメイド型ブラケット製造方法。
【請求項３】
拡張するレジンは、製造方法によってワックスを使用することができることを特徴とする請求項１に記載の舌側歯列矯正用個人オーダーメイド型ブラケット製造方法。
【請求項４】
拡張するレジンは、製造方法によってワックスを使用することができることを特徴とする請求項２に記載の舌側歯列矯正用個人オーダーメイド型ブラケット製造方法。
【請求項５】
請求項１記載の製造方法で製造されることを特徴とする舌側歯列矯正用個人オーダーメイド型ブラケット。
【請求項６】
請求項２記載の製造方法で製造されることを特徴とする舌側歯列矯正用個人オーダーメイド型ブラケット。
【発明の詳細な説明】
【技術分野】
【０００１】
本発明は、舌側歯列矯正用個人オーダーメイド型ブラケット及びそのブラケット製造方法に関するものであって、より詳しくは舌側歯列矯正のために使用されるブラケットベースをキャスティング（Ｃａｓｔｉｎｇ）して患者の個々の歯牙に合うブラケットを製造することで、歯列矯正の際、ブラケットを正確な位置に取り付けることができながら歯牙から離脱されないようにして矯正効率を高める舌側歯列矯正用個人オーダーメイド型ブラケット及びそのブラケット製造方法に関するものである。
【背景技術】
【０００２】
歯牙や顎骨の発育異常または幼い時の悪い習慣などの要因で歯列がそろっていない人が多く、歯列がそろっていない場合、日常生活にいろいろな困難を経験するようになる。
【０００３】
このような問題点を解決するために、歯科では図２に示した通り、矯正力を付与するワイヤーが挿入されるスロット４０と前記のスロット４０に挿入されるワイヤーをゴムリングまたは結紮線で固定するために前記のスロット４０の両側に形成された翼５０及び歯面６０に取り付けるためのブラケットベース２０で構成されたブラケット１０を用いて歯列矯正をしている。
【０００４】
前記歯列矯正の際、ブラケット１０を歯牙の唇側または舌側に取り付けさせることになるが、最近、対人関係、見かけ等の理由で舌側矯正治療が多く利用されている。
【０００５】
舌側矯正治療では唇側とは違って、理想的なブラケット１０の位置を得るために、間接接着術式過程を経ることになる。
【０００６】
即ち、患者から採得した不正咬合模型で個々の歯牙を切って理想的な位置に再配列したセット−アップモデルを製作した後、前記セット−アップモデル像の正確な位置に舌側矯正用ブラケット１０を取り付けてセット−アップモデル像から患者の歯面にブラケット１０を移すための個々のトランスファートレイを製作し、患者の口腔内にブラケット１０を取り付ける。
【０００７】
一方、舌側矯正においては、多様な舌側面の形態を補償しなければならないが、従来の場合、ブラケットベース２０と歯面６０の間にレジン（ｒｅｓｉｎ）を満たしてレジンベース３０を作った。
【０００８】
また、他の従来技術を見ると、韓国登録特許第１０−０８９５９４６号は「舌側矯正治療のためのブラケット及びブラケット製造方法」に関するものであって、舌側矯正治療に使用されるブラケットの製造において、患者から採得した不正咬合模型で個々の歯牙を切って理想的な位置に再配列したセット−アップモデルを製作する段階と、前記製作されたセット−アップモデルの個々の舌側歯面に合うサイズで片方面に凹凸が形成されて、軟性を持つ歯科用金属薄板を切断する段階と、前記切断された金属薄板を前記セット−アップモデル像の個々の舌側歯面に押して凹形または凸形にしてブラケットベースより広い面を持つメタルベースを製作する段階と、前記メタルベースを歯科用分離材が塗布されたセット−アップモデル像の舌側歯面に密着させた後、歯列矯正用間接接着ブラケットポジショナーを用いてブラケットのブラケットベースと、前記メタルベースとの間を銀ろうにソルドリング（ｓｏｌｄｅｒｉｎｇ）したり、レーザー溶接で固定する段階と、前記セット−アップモデル像の舌側歯面からブラケットを分離して取得することを特徴とする舌側矯正治療のためのブラケット製造方法を示している。
【０００９】
しかし、ブラケットベースと歯面の間にレジンを満たしてレジンベースを作ると、前記レジンベースが非常に厚くなって歯牙の抵抗中心と力が加わるブラケットのスロット間の距離がその分遠くなってブラケットベースとレジンベースがよく分離されて、歯牙のコントロールが難しくなってしまう問題点がある。
【００１０】
また、治療期間が長ければ長いほど口内の唾液がブラケットベースとレジンで形成されたレジンベースに吸収されて嫌な臭いがする。
【００１１】
そして、前記ブラケットは、ブラケットベースのサイズが小さくてレジンベースを大きくしなければ誤差が起こりうるので、患者の歯面に正確に取り付けることができなくなって、前記問題を解決するためにレジンベースを大きくすればするほど唾液の吸収量が多くなり、さらに嫌な臭いがする。
【００１２】
前記ブラケットは、個々人の歯牙に合わせてレジンベースを製作したため矯正治療中、レジンベースが脱落すると歯科で容易に歯牙舌面に再ボンディング（ｒｅｂｏｎｄｉｎｇ）できないため歯科技工所に送ってから再び制作するようになるなど様々な問題点が提起されている。
【００１３】
また、前記登録特許は、メタルベースを作るために歯科用金属薄膜を切断して、歯面に密着させる工程が複雑で、金属薄膜を歯面に正確に密着させることが困難であり、且つ、メタルベースとブラケットベースを銀ろうにソルドリングしたり、レーザー溶接を遂行しなければならない不便さが伴う。また、ブラケットベースまたはメタルベースがソルドリング、および溶接部分から離脱されるおそれがある。
【先行技術文献】
【特許文献】
【００１４】
【特許文献１】韓国登録特許第１０−０８９５９４６（登録日付：２００９．０４．２４．）
【発明の概要】
【発明が解決しようとする課題】
【００１５】
本発明は前記の従来技術の問題点を解決するために案出したものであって、本発明の目的は、個人オーダーメイド型ブラケットで製造されて歯面に正確に接着することができ、拡張されたベースにより接着力を高めて歯面からの脱落危険を減らし、且つ脱落しても容易に再ボンディング（ｒｅｂｏｎｄｉｎｇ）することができて、矯正の効率を高める舌側歯列矯正用個人オーダーメイド型ブラケット及びそのブラケット製造方法を提供することにある。
【課題を解決するための手段】
【００１６】
前記本発明の目的を達成するための技術的解決手段として、本発明では、舌側矯正治療に使用されるブラケットの製造において、患者から採得した不正咬合模型で個々の歯牙を切って理想的な位置に再配列したセット−アップモデルを製作する第１段階と、前記セット−アップモデルを複製する第２段階と、第２段階で複製されたセット−アップモデル像にピン作業をした後、ブラケットのベースを個々の歯牙の歯面に合わせてレジンで拡張する第３段階と、前記第３段階でレジンで拡張されたベースにブラケットを位置させる第４段階と、前記第４段階でレジンで拡張されたベースに注入路を形成して鋳造を準備する第５段階と、前記第５段階で鋳造の準備が完了した後埋没材を注入して埋没する第６段階及び前記第６段階で埋没材が埋没されたベースでレジンを焼還して溶融した素材を鋳造する第７段階とで製造され、歯面に合わせて拡張されたベースを持つことを特徴とする舌側歯列矯正用個人オーダーメイド型ブラケット製造方法とその製造方法で製造されるブラケットが提示される。
【発明の効果】
【００１７】
本発明による舌側歯列矯正用個人オーダーメイド型ブラケット製造方法とそのブラケットによると、個人オーダーメイド型ブラケットで製造されて歯面に正確に接着することができ、拡張されたベースにより接着力を高めて歯面からの脱落危険を減らし、且つ脱落しても容易に再ボンディン（ｒｅｂｏｎｄｉｎｇ）することができて矯正の効率を高める。
【００１８】
また、従来使用していたオーダーメイド型ブラケットは、スロット、結紮部及びベースに同一の素材を使用することで、矯正学で提示する強いスロット及び結紮部、薄いベースを実現できないが、本発明は互いに異なる性質の素材を使用することができて矯正学で提示する理想的な物理的性質を具現することができる発明である。
【図面の簡単な説明】
【００１９】
【図１】本発明の個人オーダーメイド型ブラケットの製造方法を表す順序図である。
【図２】従来の舌側矯正治療のためのブラケットが歯面に取り付けられた状態を表す側面図である。
【発明を実施するための形態】
【００２０】
先ず、本発明では、舌側歯列矯正用個人オーダーメイド型ブラケット製造方法を区分して説明する。
【００２１】
本発明である舌側歯列矯正用個人オーダーメイド型ブラケット製造方法を図１を参考に説明すると、舌側矯正治療に使用されるブラケットの製造において、患者から採得した不正咬合模型で個々の歯牙を切って理想的な位置に再配列したセット−アップモデルを製作する第１段階１００と、前記セット−アップモデルを複製する第２段階２００と、複製されたセット−アップモデル像にピン作業をした後、個々の歯牙にブラケットのベースを個々の歯牙の歯面に合わせてレジンで拡張する第３段階３００と、前記レジンで拡張されたベースにブラケットを位置させる第４段階４００と、前記レジンで拡張されたベースに注入路を形成して鋳造を準備する第５段階５００と、鋳造の準備が完了した後埋没材を注入して埋没する第６段階６００及び、前記埋没材が埋没された鋳造用リングでレジンを焼還して溶融した素材を鋳造する第７段階７００と、で製造される。
【００２２】
前記第４段階４００のブラケットの位置は、製造方法によって第２段階２００完了後、ブラケットを先に位置させてベースにレジンで拡張することができる。
【００２３】
前記第３段階３００で拡張するレジンは、製造方法によってワックスを使用することができる。
【００２４】
また、前記の製造方法で舌側歯列矯正用個人オーダーメイド型ブラケットが製造される。
【００２５】
前記本発明である舌側歯列矯正用個人オーダーメイド型ブラケットの製造方法及びそのブラケットについて図１を参考してより詳細に説明すると、本発明の舌側歯列矯正用個人オーダーメイド型ブラケットは、一般的に矯正力を付与する弾性ワイヤーが挿入されるスロットと、前記スロットに挿入される弾性ワイヤーをゴムリングまたは結紮線で固定するために前記スロットの両側に形成された翼、及び歯面に取り付けるためのブラケットベースとで構成されている。  よって、本発明の実施において、舌側歯列矯正に使用されるブラケットの形態は特定しない。
【００２６】
本発明は、舌側歯列矯正用個人オーダーメイド型ブラケットを製造することにおいて、以下の各段階を有する。
（第１段階１００）
先ず、患者から不正咬合の模型を採得する。
前記の採得した模型で個々の歯牙を切って理想的な位置に再配列したセット−アップモデルを製作する。
前記第１段階１００の場合、患者によって不正咬合の状態がそれぞれ異なるので、不正咬合の模型を模した後、模した模型で個々の歯牙を切って最も理想的な位置に再配列したセット−アップモデルを製作する。
【００２７】
（第２段階２００）  
前記第１段階１００で患者の不正交合に対するセット−アップモデルが製作完了したら、前記セット−アップモデルを複製する。
【００２８】
（第３段階３００）
前記第２段階２００でセット−アップモデルに対する複製が完了されたら、複製されたセット−アップモデル像にピン作業をしてベースを個々の歯牙の歯面に合わせてレジンで拡張する。
【００２９】
（第４段階４００）
前記第３段階３００でベースを個々の歯牙の歯面に合わせてレジンで拡張したら、レジンで拡張されたベースにブラケットを位置させる。
前記ブラケットの位置の場合、個人オーダーメイド型ブラケットの製造方法によって、前記第２段階２００完了後ブラケットを優先して位置させ、第３段階３００のベースにレジンで拡張することもできる。  これは製造する方法によるものであって、ブラケットに対する優先的な位置または後次的な位置については製造方法によって変更できる部分であって、前記の製造方法に限定しない。
【００３０】
（第５段階５００）
前記第４段階４００でレジンで拡張されたベースにブラケットが位置されたら、レジンで拡張されたベースに注入路を形成する。前記注入路の形成によって鋳造を準備する。
【００３１】
（第６段階６００）
前記第５段階５００で注入路を形成して鋳造の準備が完了したら、鋳造用リングに埋没材を注入して埋没する。
【００３２】
（第７段階７００）
前記第６段階６００で埋没材が埋没された鋳造用リングでレジンを焼還して、溶融した素材を鋳造する。
前記第７段階７００で溶融した素材を鋳造すると、個々の患者の歯面に合わせて拡張されたベースを持つ一つの個人オーダーメイド型ブラケットの製作が完了する。
【００３３】
前記の舌側歯列矯正用個人オーダーメイド型ブラケット製造方法のうち、第３段階３００のレジンの拡張時、製造方法によっては前記レジンをワックスで代替して使用することもあり、これは前記のレジン、ワックスに限定しない。
【００３４】
また、本発明の舌側歯列矯正用個人オーダーメイド型ブラケットは、前記のブラケット製造方法を用いて製造される。
【００３５】
前記の説明のように、本発明は、個人オーダーメイド型ブラケットで製造されて、歯面に正確に接着することができ、拡張されたベースにより接着力を高めて歯面からの脱落危険を減らし、脱落しても容易に再ボンディング（ｒｅｂｏｎｄｉｎｇ）することができて矯正の効率を高めるなど、画期的な発明である。
【００３６】
また、従来使用していたオーダーメイド型ブラケットは、スロット、結紮部、及びベースとを同一の素材を使用することで、矯正学で提示する強いスロット及び結紮部、薄いベースが実現できないが、本発明は互いに異なる性質の素材を使用することができるため矯正学で提示する理想的な物理的性質が具現できる発明である。
【符号の説明】
【００３７】
１００  第１段階                
２００  第２段階
３００  第３段階                
４００  第４段階
５００  第５段階                
６００  第６段階
７００  第７段階
【図１】
2016522066.tif 000003
【図２】
2016522066.tif 000004
【国際調査報告】
2016522066.tif 000005
2016522066.tif 000006
2016522066.tif 000007
2016522066.tif 000008